(57)【要約】【課題】断熱箱体を構成する内箱の背面に真空断熱パネルを備える冷蔵庫において、サクションパイプの固定度を増強する。【解決手段】本実施形態に係る冷蔵庫は、内部に貯蔵室を有する断熱箱体と、断熱箱体を構成する内箱の背面に備えられる真空断熱パネルと、内箱の背面の縁部に配置されるサクションパイプと、内箱の背面の縁部にサクションパイプを固定する固定具と、を備える。【選択図】図２
2019105444.tif 000002
【特許請求の範囲】
【請求項１】
内部に貯蔵室を有する断熱箱体と、
前記断熱箱体を構成する内箱の背面に備えられる真空断熱パネルと、
前記内箱の背面の縁部に配置されるサクションパイプと、
前記内箱の背面の縁部に前記サクションパイプを固定する固定具と、
を備える冷蔵庫。
【発明の詳細な説明】
【技術分野】
【０００１】
本実施形態は、冷蔵庫に関する。
【背景技術】
【０００２】
従来、冷蔵庫の冷凍サイクルを構成するサクションパイプは、断熱箱体を構成する合成樹脂製の内箱の背面の全体にわたって配管され、その内箱に形成された爪などで固定されている。そして、断熱箱体を構成する外箱と内箱との間に注入され硬化される発泡ウレタンにより、サクションパイプの固定度の増強が図られている。
【０００３】
しかし、近年の冷蔵庫の断熱箱体は、庫内の容積を拡張するために、真空断熱パネルを用いて薄型化が図られている。この場合、真空断熱パネルは、断熱箱体の左右両側部の断熱壁のほか、背部の断熱壁にも設けられるものであり、従って、内箱の背面に真空断熱パネルが位置することになる。このような構成では、断熱箱体の背部の断熱壁に発泡ウレタンが設けられなくなり、あるいは発泡ウレタンを薄くしか設けられなくなり、発泡ウレタンによりサクションパイプの固定度を増強することができなくなる。
【先行技術文献】
【特許文献】
【０００４】
【特許文献１】特開２００４−２４５５２６号公報
【発明の概要】
【発明が解決しようとする課題】
【０００５】
本実施形態は、断熱箱体を構成する内箱の背面に真空断熱パネルを備える構成であっても、サクションパイプの固定度を増強することができる冷蔵庫を提供する。
【課題を解決するための手段】
【０００６】
本実施形態に係る冷蔵庫は、断熱箱体と、真空断熱パネルと、サクションパイプと、固定具と、を備える。断熱箱体は、内部に貯蔵室を有する。真空断熱パネルは、断熱箱体を構成する内箱の背面に備えられる。サクションパイプは、内箱の背面の縁部に配置される。固定具は、内箱の背面の縁部にサクションパイプを固定する。
【図面の簡単な説明】
【０００７】
【図１】本実施形態に係る冷蔵庫の構成例を概略的に示す縦断面図
【図２】冷蔵庫の構成例を概略的に示す横断面図
【図３】内箱の背面図
【図４】（ａ）は開状態の固定具を表面側から見た斜視図、（ｂ）は開状態の固定具を裏面側から見た斜視図
【図５】固定具および固定具取付部材の横断面図
【図６】固定具および固定具取付部材の縦断面図
【図７】内箱の背面の縁部における固定具の周辺を拡大して示す図
【発明を実施するための形態】
【０００８】
以下、冷蔵庫に係る一実施形態について図面を参照しながら説明する。図１に例示する冷蔵庫１０は、その外殻を構成する断熱箱体１１の内部に複数の貯蔵室１２，１３，１４，１５などを備える。この場合、貯蔵室１２は冷蔵室であり、貯蔵室１３は野菜室であり、貯蔵室１４は製氷室であり、貯蔵室１５は冷凍室である。また、冷蔵庫１０には、各貯蔵室を冷却するための冷凍サイクルが備えられている。冷凍サイクルは、圧縮機１６、図示しない凝縮器、冷蔵用の冷却器１７、冷凍用の冷却器１８などを冷媒管により接続した構成である。また、冷蔵庫１０は、当該冷蔵庫１０の動作全般を制御する制御装置１９を備える。この場合、制御装置１９は、断熱箱体１１の天井部の断熱壁の上面に設けられている。
【０００９】
図２に例示するように、断熱箱体１１は、金属製の外箱２１と合成樹脂製の内箱２２との間に、断熱材として、真空断熱パネル２３，２４，２５と発泡ウレタン２６を備えている。この場合、真空断熱パネル２３は、断熱箱体１１の背部の断熱壁内、つまり内箱２２の背面に設けられている。また、真空断熱パネル２４，２５は、断熱箱体１１の左右の両側部の断熱壁内、つまり内箱２２の左右の両側面に設けられている。また、発泡ウレタン２６は、断熱箱体１１の背部の断熱壁の縁部内、つまり内箱２２の背面の縁部に充填されている。この発泡ウレタン２６は、断熱箱体１１の内部の空間のうち真空断熱パネル２３，２４，２５が存在しない部分に注入され硬化されたものである。
【００１０】
この場合、内箱２２の左右の後部のコーナ部は、直角に折り曲げられておらず、緩やかに傾斜する面取り部２２ａとなっている。即ち、内箱２２の背面の縁部は、面取り部２２ａとなっている。そして、真空断熱パネル２３は、内箱２２の背面の縁部を除く領域、つまり面取り部２２ａを除く領域に対向して配置されている。また、内箱２２の背面の縁部に対向する領域、つまり面取り部２２ａに対向する領域には、冷凍サイクルの冷媒管の一部を構成するサクションパイプ３１が配置される。なお、冷蔵庫１０は、サクションパイプ３１として、冷蔵用の冷却器１７と圧縮機１６との間を接続する冷蔵用サクションパイプ３１ｒと、冷凍用の冷却器１８と圧縮機１６との間を接続する冷凍用サクションパイプ３１ｆとを備えている。
【００１１】
本実施形態に係る冷蔵庫１０は、このように内箱２２の背面の縁部に配置されるサクションパイプ３１を固定する構成に工夫が施されている。次に、このサクションパイプ３１を固定する構成について詳細に説明する。
即ち、内箱２２の背面の縁部に配置されるサクションパイプ３１は、固定具１００により、内箱２２の背面の縁部に固定されるようになっている。図３に例示するように、サクションパイプ３１は、この場合、複数の固定具１００により複数箇所で固定されている。なお、固定具１００の数は、適宜変更して実施することができる。図４に例示するように、固定具１００は、サクションパイプ３１を保持するベース部１０１と、このベース部１０１を覆うカバー部１０２とを有する。この場合、固定具１００は、ベース部１０１とカバー部１０２とが、ヒンジ部１０３において一体的に、且つ、相互に回動可能に連結されたいわゆるセルフヒンジ構造で構成されている。
【００１２】
ベース部１０１は、全体として長尺なほぼ矩形状をなしている。そして、ベース部１０１は、その長手方向に直交する方向に延びる複数の保持部１１０，１１１，１１２を有する。保持部１１０は、ベース部１０１の長手方向のほぼ中央部に設けられている。この保持部１１０は、その底部が緩やかに湾曲した溝状に形成されており、例えば制御装置１９に接続される電源線や通信線などの各種の線類を保持するものである。
【００１３】
保持部１１１，１１２は、ベース部１０１の長手方向の両端部において保持部１１０を挟むようにして設けられている。これら保持部１１１，１１２は、その底部が緩やかに湾曲した溝状に形成されており、図５に例示するように、サクションパイプ３１を、カバー部１０２との間で前後方向から挟み込むようにして保持するとともに、さらにキャピラリ管３２も保持するものである。キャピラリ管３２は、冷凍サイクルの構成要素であり、いわゆる減圧器として機能するものである。この場合、保持部１１１，１１２は、保持部１１０よりも浅く形成されている。また、ヒンジ部１０３側の保持部１１１は、１本のサクションパイプ３１と１本のキャピラリ管３２を保持する。保持部１１１に保持されるサクションパイプ３１は、この場合、冷凍用サクションパイプ３１ｆである。また、ヒンジ部１０３とは反対側の保持部１１２は、保持部１１１よりも幅が広くなっており、２本のサクションパイプ３１と２本のキャピラリ管３２を保持する。保持部１１２に保持されるサクションパイプ３１は、この場合、冷蔵用サクションパイプ３１ｒおよび冷凍用サクションパイプ３１ｆである。
【００１４】
また、保持部１１１，１１２には、これら保持部１１１，１１２の内部に保持されたサクションパイプ３１およびキャピラリ管３２を仮固定するための仮固定部１１３が設けられている。この仮固定部１１３は、保持部１１１，１１２の内方に向かって延びる薄い板状をなしている。この場合、保持部１１１においては、当該保持部１１１の片方の側面に仮固定部１１３が設けられている。一方、保持部１１２においては、当該保持部１１２の両方の側面に仮固定部１１３が設けられている。
【００１５】
また、ベース部１０１は、ヒンジ部１０３とは反対側の部分に複数の爪部１１４ａ，１１４ｂを有する。この場合、爪部１１４ａ，１１４ｂは、保持部１１０と、ヒンジ部１０３とは反対側の保持部１１２との間から突出している。また、爪部１１４ａ，１１４ｂの先端部は、ヒンジ部１０３側に向かって突出している。
【００１６】
一方、カバー部１０２は、ベース部１０１に対応する全体として長尺なほぼ矩形状をなしている。カバー部１０２は、複数の閉塞部２１０，２１１，２１２を有する。閉塞部２１０は、カバー部１０２の長手方向のほぼ中央部に設けられている。この閉塞部２０１は、緩やかに湾曲しており、ベース部１０１にカバー部１０２が閉じられた状態で保持部１１０を塞ぐ。
【００１７】
閉塞部２１１，２１２は、カバー部１０２の長手方向の両端部において閉塞部２１０を挟むようにして設けられている。ヒンジ部１０３側の閉塞部２１１は、カバー部１０２の長手方向に対して傾斜する板状に形成されており、ベース部１０１がカバー部１０２により閉じられた状態において、ヒンジ部１０３側の保持部１１１を塞ぐ。ヒンジ部１０３とは反対側の閉塞部２１２は、カバー部１０２の長手方向に沿う板状に形成されており、ベース部１０１がカバー部１０２により閉じられた状態において、ヒンジ部１０３とは反対側の保持部１１２を塞ぐ。
【００１８】
また、カバー部１０２は、当該カバー部１０２がベース部１０１を閉じた状態においてベース部１０１とは反対側となる表面側に、複数の非係止部１１５ａ，１１５ｂを有する。非係止部１１５ａ，１１５ｂは、ヒンジ部１０３とは反対側に向かって突出している。また、カバー部１０２は、非係止部１１５ａ，１１５ｂの根本部分に孔部１１６ａ，１１６ｂを有する。これら孔部１１６ａ，１１６ｂは、カバー部１０２をベース部１０１側に回動させる際に、ベース部１０１の爪部１１４ａ，１１４ｂが挿通可能な大きさを有するほぼ矩形状の孔となっている。
【００１９】
ベース部１０１側にカバー部１０２を回動させると、ベース部１０１の爪部１１４ａ，１１４ｂがカバー部１０２の孔部１１６ａ，１１６ｂに挿通され、爪部１１４ａ，１１４ｂの先端部が非係止部１１５ａ，１１５ｂの先端部に係止する。これにより、図５に例示するように、ベース部１０１がカバー部１０２によって閉じられた状態が維持される。なお、非係止部１１５ａ，１１５ｂに対する爪部１１４ａ，１１４ｂの係止状態を解除することにより、ベース部１０１からカバー部１０２を開くように回動させることが可能な状態となる。
【００２０】
このように構成された固定具１００は、図５に例示するように、固定具取付部材２００を介して内箱２２の背面の縁部に取り付けられる。この固定具取付部材２００は、例えばＥＰＳ（ＥＰＳ：Expanded Polystyrene  発泡スチロール）などといった断熱材料で構成されている。図６に例示するように、固定具取付部材２００は、内箱２２の背面の縁部に取り付けられる側の部分に突出部２００ａを有する。固定具取付部材２００は、この突出部２００ａが内箱２２の背面の縁部に設けられたスリット２２ｓに嵌め込まれることにより、内箱２２の背面の縁部に取り付けられる。この場合、固定具取付部材２００は、内箱２２のスリット２２ｓに、例えば両面テープや接着剤などといった接着手段を介して固定される。なお、スリット２２ｓは、例えは貯蔵室の内部に着脱可能に取り付けられる棚を支持するためのビードなどを形成するために設けられたものである。
【００２１】
また、固定具取付部材２００は、その外形、特にスリット２２ｓに取り付けられる側とは反対側の部分の外形が固定具１００のベース部１０１の裏面側の外形に沿う形状となっている。そのため、固定具１００のベース部１０１は、固定具取付部材２００に対しほぼ隙間なく取り付けられる。なお、固定具１００のベース部１０１は、固定具取付部材２００に、例えば両面テープや接着剤などといった接着手段を介して固定される。このとき、図７に例示するように、固定具１００は、そのヒンジ部１０３が内箱２２の背面の縁部において外側、つまり真空断熱パネル２３とは反対側に位置するように取り付けられる。
【００２２】
また、図５に例示するように、冷蔵庫１０は、固定具１００の表面に保護テープ３００を貼り付けるとよい。この保護テープ３００は、固定具１００の一部、例えば固定具１００のヒンジ部１０３とは反対側の端部、つまり真空断熱パネル２３側の端部の表面を覆うように貼り付けてもよいし、固定具１００の表面全体を覆うように貼り付けてもよい。
【００２３】
保護テープ３００は、断熱材としての機能も有しており、サクションパイプ３１から真空断熱パネルへ固定具１００を介して冷熱が伝わることを防ぐ。また、図２に示すように、固定具取付部材２００と側面の真空断熱パネル２４は、その一部が対向しており、つまり、一部分がラップしている。固定具取付部材２００と側面の真空断熱パネル２４とが対向する部分においては、他の部分よりも発泡ウレタン２６が少なく薄くなっているが、真空断熱パネル２４により断熱性能の低下を抑える構成が実現されている。
【００２４】
本実施形態に係る冷蔵庫１０によれば、内箱２２の背面の縁部にサクションパイプ３１を固定する固定具１００を備える。ここで、冷蔵庫１０は、断熱箱体１１を構成する内箱２２の背面に真空断熱パネル２３を備える構成であるが、この真空断熱パネル２３が存在しない部分、つまり内箱２２の背面の縁部には発泡ウレタン２６が充填されている。そのため、内箱２２の背面の縁部においてサクションパイプ３１を固定具１００により固定することで、発泡ウレタン２６によりサクションパイプ３１の固定度を増強することができ、冷蔵庫１０の品質を向上することができる。
【００２５】
また、真空断熱パネル２３にサクションパイプ３１が接触すると、サクションパイプ３１を通る冷媒の冷熱が真空断熱パネル２３、特に当該真空断熱パネル２３を覆うアルミ材に伝わる。そして、さらに、その冷熱が断熱箱体１１の外箱２１に伝わって、外箱２１の外面に結露を発生し、その結露が流下して床面を濡らしてしまうといった不具合を招いてしまう。本実施形態に係る冷蔵庫１０によれば、サクションパイプ３１は、真空断熱パネル２３が存在しない内箱２２の背面の縁部において固定具１００により強固に保持されており、さらに、発泡ウレタン２６により固定度が増強されている。そのため、サクションパイプ３１が真空断熱パネル２３に接触してしまうことを回避することができ、ひいては、外箱２１の外面における結露の発生を回避することができる。
【００２６】
また、冷蔵庫１０によれば、固定具１００の外形に沿う形状をなし、内箱２２の背面の縁部に取り付けられる固定具取付部材２００を備える。そして、固定具１００は、この固定具取付部材２００に取り付けられている。この構成によれば、サクションパイプ３１を保持する固定具１００の固定が堅固になり、ひいては、サクションパイプ３１の固定度をさらに増強することができる。
また、冷蔵庫１０によれば、固定具取付部材２００は断熱材で構成されている。この構成によれば、固定具１００を、ひいては、この固定具１００に保持されるサクションパイプ３１を、より断熱された状態で固定することができる。
【００２７】
また、冷蔵庫１０によれば、固定具１００は、ベース部１０１とカバー部１０２とが一体的に連結されたいわゆるセルフヒンジ構造で構成されている。ベース部とカバー部とを別々の部品として備える構成では、固定具を製造する際に、ベース部とカバー部とをそれぞれ別個に製造する作業や、製造したベース部とカバー部とを組み合わせる作業などが必要となり、その作業性が悪くなる。本実施形態に係る固定具１００によれば、例えば樹脂成型などにより、ベース部１０１とカバー部１０２とが一体的に連結された固定具１００を得ることができる。従って、ベース部１０１とカバー部１０２を組み合わせる作業などを要せず固定具１００を製造することができ、その製造性が良い。
【００２８】
また、冷蔵庫１０によれば、固定具１００は、サクションパイプ３１を仮固定する仮固定部１１３を備える。この構成によれば、ベース部１０１をカバー部１０２で閉じる前、つまりサクションパイプ３１の本固定の前に、サクションパイプ３１が固定具１００から抜け落ちてしまうことを回避することができ、作業性を良くすることができる。
【００２９】
また、固定具１００は、ベース部１０１とカバー部１０２を連結するヒンジ部１０３が内箱２２の背面の縁部において外側に位置するように取り付けられる。冷蔵庫１０の製造過程において、内箱２２の背面の縁部にサクションパイプ３１を取り付ける作業は、内箱２２の背面を上にし、前面を下にした状態で行われる。このとき、固定具１００のヒンジ部１０３が内箱２２の背面の縁部において外側に位置していれば、ヒンジ部１０３側がヒンジ部１０３とは反対側よりも下方に位置した状態となる。そのため、カバー部１０２がベース部１０１から開いた状態では、ヒンジ部１０３が上方に開いた状態となり、当該ヒンジ部１０３を受け部として機能させることができる。これにより、サクションパイプ３１がヒンジ部１０３によって受けられて脱落しにくくなり、サクションパイプ３１を取り付ける作業の作業性を良くすることができる。
【００３０】
また、冷蔵庫１０によれば、固定具１００の表面に保護テープ３００を貼り付けることで、仮に真空断熱パネル２３が固定具１００に接触したとしても、真空断熱パネル２３が破損してしまうことを回避することができる。また、カバー部１０２がベース部１０１から意図せず開いてしまうことを回避することができ、従って、サクションパイプ３１の固定度を一層増強することができる。
【００３１】
本実施形態に係る冷蔵庫は、断熱箱体と、真空断熱パネルと、サクションパイプと、固定具と、を備える。断熱箱体は、内部に貯蔵室を有する。真空断熱パネルは、断熱箱体を構成する内箱の背面に備えられる。サクションパイプは、内箱の背面の縁部に配置される。固定具は、内箱の背面の縁部にサクションパイプを固定する。この構成によれば、断熱箱体を構成する内箱の背面に真空断熱パネルを備える構成であっても、真空断熱パネルが存在しない内箱の背面に縁部に充填される発泡ウレタンにより、サクションパイプの固定度を増強することができる。
【００３２】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
図面中、１０は冷蔵庫、１１は断熱箱体、１２，１３，１４，１５は貯蔵室、２２は内箱、２３は真空断熱パネル、３１はサクションパイプ、１００は固定具、１０１はベース部、１０２はカバー部、１０３はヒンジ部、１１３は仮固定部、２００は固定具取付部材、３００は保護テープ、を示す。
【図１】
2019105444.tif 000003
【図２】
2019105444.tif 000004
【図３】
2019105444.tif 000005
【図４】
2019105444.tif 000006
【図５】
2019105444.tif 000007
【図６】
2019105444.tif 000008
【図７】
2019105444.tif 000009